(57)【特許請求の範囲】
【請求項１】
ワイヤレス信号を用いて照明器具に所定の処理を指示するリモコン装置と、ワイヤレス信号を受信するワイヤレス受信部およびワイヤレス受信部の出力に基づいて所定の処理を行う制御部を有する複数の照明器具とを備え、各照明器具には照明器具間の信号伝送を行う通信部が設けられ、ワイヤレス受信部によりワイヤレス信号を受信した照明器具の制御部が規定時間後にワイヤレス信号を受信したことを報知する報知信号を通信部を介して送出し、報知信号を受け取った照明器具の制御部ではワイヤレス信号を受信していた場合であっても当該ワイヤレス信号に基づいた所定の処理の前の上記規定時間内に報知信号を受け取ったときは当該ワイヤレス信号に基づいた所定の処理を行わないようにし、検知エリア内の人の存否を検出する人体検知センサを備え、制御部は、ワイヤレス信号の受信時近傍の単位時間当たりの人体検知センサによる人体検出の回数が多いほど上記規定時間を短くすることを特徴とする照明装置。
【請求項２】
照明器具の取り付け高さをＨ、ワイヤレス受信部間の取り付け最小ピッチをＬ１、ワイヤレス受信部の検出範囲が円錐状であって最大の検出範囲が床面に対する垂線との角度をθ１とするとき、
θ１≦tan−１（Ｌ１／２Ｈ）
の条件を満たすことを特徴とする請求項１記載の照明装置。
【請求項３】
ワイヤレス信号の送出範囲が円錐状であって送信方向の中心線との角度をθ２とするとき、θ２＜θ１の条件を満たすことを特徴とする請求項２記載の照明装置。
【請求項４】
ワイヤレス信号の最大到達距離をＲとするとき、
Ｒ≦Ｈ／cosθ１
の条件を満たすことを特徴とする請求項３記載の照明装置。
【請求項５】
照明器具の取り付け高さをＨ、ワイヤレス受信部間の取り付け最小ピッチをＬ１、ワイヤレス受信部の検出範囲が円錐状であって最大の検出範囲が床面に対する垂線との角度をθ１、リモコン信号の送出範囲が円錐状であって送信方向の中心線との角度をθ２とするとき、
θ２＜｛tan−１（Ｈ／（Ｈtanθ１−Ｌ１））−（９０°−θ１）｝／２
および
θ２＜sin−１（（Ｌ１／２）／Ｈtanθ１）
の２つの条件を満たすことを特徴とする請求項１記載の照明装置。
【請求項６】
ワイヤレス信号の最大到達距離をＲとするとき、
Ｒ≦Ｈ／cosθ１
の条件を満たすことを特徴とする請求項５記載の照明装置。
【発明の詳細な説明】
【０００１】
【発明の属する技術分野】
本発明は、ワイヤレス信号（リモコン信号）を用いて照明器具に点灯・消灯や動作モードの設定などの所定の処理を指示するリモコン装置と、ワイヤレス信号を受信するワイヤレス受信部およびワイヤレス受信部の出力に基づいて上記所定の処理を行う制御部を有する複数の照明器具とを備えた照明装置に関するものである。
【０００２】
【従来の技術】
従来より、図１１に示すように、複数の照明器具１を伝送信号線Ｌｓを介して主制御装置１０（制御盤などのセンタユニット）に接続した構成の照明システムが提案されている。この種の照明システムでは、各照明器具１にそれぞれ固有のアドレスＡＤ（なお、図示例では００１〜００４と記載してある）が設定されており、主制御装置１０がアドレスデータを含んだ制御信号を伝送信号線Ｌｓに送出することにより、照明器具１は、制御信号から自身のアドレスに一致するアドレスデータに対応付けられた情報を取り込み、該情報に基づいて照明器具１の点灯状態を制御したり動作モードを設定するようになっている。要するに、この照明システムでは、アドレスを用いることで各照明器具１に対して点灯・消灯・動作モードなどの指示を個別に与えることができるようになっている。
【０００３】
ここにおいて、照明器具１は、その使用用途に応じて、検知エリア内の明るさを検出する明るさセンサとしての照度センサ、検知エリア内の人の存否を検出する人体検知センサとしての人感センサ、タイマなどを備えており、照明負荷を動作モード毎に適宜制御する。また、主制御装置１０から伝送信号線Ｌｓに送出される制御信号には、アドレスデータの他に、タイムスケジュールによる点灯・消灯や調光レベルの上げ下げや、各種動作モードの設定などを指示する情報が含まれる。ここに、動作モードとしては、照明負荷の出力を定格よりも低出力とする低出力制御モード、明るさセンサ（照度センサ）の出力に基づいて照明負荷を制御する明るさセンサ制御モード、人感センサの出力に基づいて照明負荷を制御する人感センサ制御モードなどがある。
【０００４】
さらに、照明器具１にリモコン装置９からの光によるワイヤレス信号を受信する受光部７を設けて、主制御装置１０の有無によらず、リモコン装置９でアドレスデータを含んだ制御信号よりなるワイヤレス信号を送ることによって所望の照明器具１の点灯状態や動作モードを指示することもできる。
【０００５】
また、その他の照明システムとして、図１２に示すように、隣接する照明器具１間で互いに異なるチャンネルＣＨ（なお、図示例では０１，０２と示してある）を設定しておき、リモコン装置９から発信させるワイヤレス信号によってチャンネルを指定することにより所望の照明器具１でワイヤレス信号を受け付けるようにしたものも提案されている。
【０００６】
【発明が解決しようとする課題】
ところで、図１１に示した照明システムではリモコン装置９を用いて所望の照明器具１の点灯状態や動作モードを指示する（つまり、所定の処理を指示する）ことができるが、各照明器具１のアドレスをリモコン装置９あるいはリモコン装置９の操作者が記憶しておく必要があり、しかもワイヤレス信号の送信時に所望の照明器具１のアドレスを付与して送らなければならないので、操作者（ユーザ）の操作やリモコン装置９の構成が複雑になり使い勝手が良くないという不具合があった。また、施工時に各照明器具１にアドレスを設定する必要があり施工に手間がかかるという不具合もあった。
【０００７】
一方、図１２に示した照明システムにおいても、リモコン装置９を用いて所望の照明器具１の点灯状態や動作モードを指示することができるが、各照明器具１のチャンネルをリモコン装置９あるいはリモコン装置９の操作者が記憶しておく必要があり、しかもワイヤレス信号の送信時に所望の照明器具１のチャンネルを付与して送らなければならないので、操作者（ユーザ）の操作やリモコン装置９の構成が複雑になり使い勝手が良くないという不具合があった。また、施工時に各照明器具１にチャンネルを設定する必要があり施工に手間がかかるという不具合もあった。
【０００８】
また、各照明器具１にアドレスやチャンネルが設定されていないと、照明器具１が隣接して設置されているような場合に、リモコン装置９でワイヤレス信号を送った際に所望の照明器具１に隣接する照明器具１でもワイヤレス信号が受信されて点灯状態が変化したり動作モードが設定されてしまうことがあった。つまり、各照明器具１にアドレスやチャンネルが設定されていないと、照明器具１が隣接して設置されている場合に、リモコン装置９を用いて確実に１つの照明器具１ごとの点灯状態や動作モードを指示することができないという不具合があった。
【０００９】
また、図１１に示した構成の照明システムにおいて各照明器具１にアドレスが設定されていないと、主制御装置１０から制御信号を送る場合に、どの照明器具１に対して制御信号を送るのかが不明となるという不具合があった（主制御装置１０から物理的に何台目に接続された照明器具１に対して制御信号を送るなどの手段は可能であるが、これは実質的にアドレスを持っているのと同等である）。
【００１０】
本発明は上記事由に鑑みて為されたものであり、その目的は、各照明器具にアドレスやチャンネルなどを設定することなしにリモコン装置を用いて所望の１つの照明器具のみに所定の処理を行わせることができる照明装置を提供することにある。
【００１１】
【課題を解決するための手段】
請求項１の発明は、上記目的を達成するために、ワイヤレス信号を用いて照明器具に所定の処理を指示するリモコン装置と、ワイヤレス信号を受信するワイヤレス受信部およびワイヤレス受信部の出力に基づいて所定の処理を行う制御部を有する複数の照明器具とを備え、各照明器具には照明器具間の信号伝送を行う通信部が設けられ、ワイヤレス受信部によりワイヤレス信号を受信した照明器具の制御部が規定時間後にワイヤレス信号を受信したことを報知する報知信号を通信部を介して送出し、報知信号を受け取った照明器具の制御部ではワイヤレス信号を受信していた場合であっても当該ワイヤレス信号に基づいた所定の処理の前の上記規定時間内に報知信号を受け取ったときは当該ワイヤレス信号に基づいた所定の処理を行わないようにし、検知エリア内の人の存否を検出する人体検知センサを備え、制御部は、ワイヤレス信号の受信時近傍の単位時間当たりの人体検知センサによる人体検出の回数が多いほど上記規定時間を短くすることを特徴とするものであり、報知信号を受け取った照明器具の制御部ではワイヤレス信号を受信していた場合であっても当該ワイヤレス信号に基づいた所定の処理の前の規定時間内に報知信号を受け取ったときは当該ワイヤレス信号に基づいた所定の処理を行わないので、各照明器具にアドレスやチャンネルなどを設定することなしに、リモコン装置を用いて所望の１つの照明器具のみの点灯状態の制御や動作モードの設定などの所定の処理を行わせることができるから、リモコン装置あるいはリモコン装置の操作者がアドレスやチャンネルを記憶しておく必要もなく、操作者の操作やリモコン装置の構成が複雑になることもなくて使い勝手が良くなり、しかもアドレスの設定が不要なことにより伝送線の繋ぎ方に特別の考慮を必要とせずに照明器具の設置場所の自由度が高く施工が容易になる。
【００１４】
また、各照明器具は、検知エリア内の人の存否を検出する人体検知センサを備え、制御部は、ワイヤレス信号の受信時近傍の単位時間当たりの人体検知センサによる人体検出の回数が多いほど上記規定時間を短くするので、リモコン装置の操作者が所望の照明器具に近づいて操作するような場合に、ワイヤレス信号によって所望の照明器具の制御や動作モードの設定を確実に行うことができる。
【００１６】
請求項２の発明は、請求項１の発明において、照明器具の取り付け高さをＨ、ワイヤレス受信部間の取り付け最小ピッチをＬ１、ワイヤレス受信部の検出範囲が円錐状であって最大の検出範囲が床面に対する垂線との角度をθ１とするとき、
θ１≦tan−１（Ｌ１／２Ｈ）
の条件を満たすことを特徴とするものであり、各照明器具のワイヤレス受信部の検出範囲が隣接する照明器具間で重ならないので、各照明器具にアドレスやチャンネルなどを設定することなしに、リモコン装置を用いて所望の１つの照明器具のみの点灯状態の制御や動作モードの設定などを行える可能性が高くなり、リモコン装置あるいはリモコン装置の操作者がアドレスやチャンネルを記憶しておく必要もなく、操作者の操作やリモコン装置の構成が複雑になることもなくて使い勝手が良くなり、しかもアドレスの設定が不要なことにより伝送線の繋ぎ方に特別の考慮を必要とせずに施工が容易になる。
【００１７】
請求項３の発明は、請求項２の発明において、ワイヤレス信号の送出範囲が円錐状であって送信方向の中心線との角度をθ２とするとき、θ２＜θ１の条件を満たすので、リモコン装置を用いて所望の１つの照明器具のみにワイヤレス信号を送信できる可能性が高くなる。
【００１８】
請求項４の発明は、請求項３の発明において、ワイヤレス信号の最大到達距離をＲとするとき、
Ｒ≦Ｈ／cosθ１
の条件を満たすので、ワイヤレス信号が床面や天井などで反射した後にワイヤレス受信部に受信されるのを防ぐことができる。
【００１９】
請求項５の発明は、請求項１の発明において、照明器具の取り付け高さをＨ、ワイヤレス受信部間の取り付け最小ピッチをＬ１、ワイヤレス受信部の検出範囲が円錐状であって最大の検出範囲が床面に対する垂線との角度をθ１、リモコン信号の送出範囲が円錐状であって送信方向の中心線との角度をθ２とするとき、
θ２＜｛tan−１（Ｈ／（Ｈtanθ１−Ｌ１））−（９０°−θ１）｝／２
および
θ２＜sin−１（（Ｌ１／２）／Ｈtanθ１）
の２つの条件を満たすことを特徴とするものであり、隣接する照明器具間で互いのワイヤレス受信部の検出範囲が重なっている場合でも、所望の照明器具に送信方向に沿って隣接された照明器具にワイヤレス信号が受信されるのを防ぐことができ、かつ、所望の照明器具に送信方向と直交する方向に隣接された照明器具にワイヤレス信号が受信されるのを防ぐことができ、各照明器具にアドレスやチャンネルなどを設定することなしに、リモコン装置を用いて所望の１つの照明器具のみの点灯状態の制御や動作モードの設定などを行える可能性が高くなり、リモコン装置あるいはリモコン装置の操作者がアドレスやチャンネルを記憶しておく必要もなく、操作者の操作やリモコン装置の構成が複雑になることもなくて使い勝手が良くなり、しかもアドレスの設定が不要なことにより伝送線の繋ぎ方に特別の考慮を必要とせずに施工が容易になる。
【００２０】
請求項６の発明は、請求項５の発明において、ワイヤレス信号の最大到達距離をＲとするとき、
Ｒ≦Ｈ／cosθ１
の条件を満たすので、ワイヤレス信号が床面や天井などで反射した後にワイヤレス受信部に受信されるのを防ぐことができる。
【００２１】
【発明の実施の形態】
（参考例１）
本参考例の照明装置は、図１（ａ）に示すように、複数の照明器具１ｉ（ｉ＝１，２，…）と、ワイヤレス信号を用いて照明器具１ｉの点灯状態を指示するリモコン装置９とを備えている。ここに、照明器具１２と照明器具１３との間は伝送信号線Ｌ２３により接続され、照明器具１３と照明器具１４との間は伝送信号線Ｌ３４により接続され、照明器具１４と照明器具１５との間は伝送信号線Ｌ４５により接続されている。
【００２２】
各照明器具１iは、それぞれ図１（ｂ）に示すように、蛍光灯のようなランプを備える照明負荷２およびワイヤレス信号を受信するワイヤレス受信部たる受光部７を備えている。照明負荷２は、ランプだけでなくランプの点灯回路も含んでいる。また、各照明器具１iは天井面に取り付けられるものであって、受光部７は、照明器具１iの下面に設けられている。
【００２３】
照明負荷２および受光部７は制御部４に接続されている。一方、リモコン装置９から送信されるワイヤレス信号には、タイムスケジュールによる点灯・消灯や調光レベルの上げ下げや、各種動作モードの設定などの所定の処理を指示する情報が含まれており、制御部４はワイヤレス信号を受信する受光部７の出力に基づいて照明負荷２の点灯・消灯や調光比の上げ下げなどの制御を行ったり動作モードを設定することができるようになっている。ここに、動作モードとしては、制御部４が照明負荷２のランプの出力を定格よりも低出力とする低出力制御モード、制御部４が検知エリア内の明るさを検出する明るさセンサとしての照度センサ３の出力に基づいて照明負荷２を制御する明るさセンサ制御モード、制御部４が検知エリア内の人の存否を検出する人体検出センサとしての人感センサ６の出力に基づいて照明負荷２を制御する人感センサ制御モードなどがある。なお、制御部４には、後述の所定時間を時限するタイマ８が接続されている。
【００２４】
受光部７によりワイヤレス信号を受信した照明器具１iの制御部４は、規定時間後にワイヤレス信号を受信したことを報知する報知信号を通信部５を介して送出する。また、受光部７によりワイヤレス信号を受信した照明器具１iの制御部４は、上記規定時間内に他の照明器具１iからの報知信号を受けたときには該ワイヤレス信号に基づいた所定の処理を行わないようになっている。ここに、上記規定時間は隣接する照明器具１i間で互いに異なっている。
【００２５】
したがって、例えば一例として照明器具１3について説明すると、照明器具１3の通信部５は伝送信号線Ｌ23，Ｌ34を通して情報を授受し、照明器具１2，１4の動作に影響を与えたり、受け取った情報に基づいて制御部４を制御したりする。
【００２６】
さらに、照明器具１3の制御部４の動作について図２を参照しながら具体的に説明する。制御部４は、受光部７を介してワイヤレス信号（リモコン信号）を受信すると（Ｓ１）と、タイマ８により所定時間のカウントを行わせ（Ｓ２）、所定時間が経過すると通信部５を介して報知信号を受けたか否かを確認し（Ｓ３）、報知信号を受けていた場合には受信したワイヤレス信号を破棄する（Ｓ４）。つまり、ワイヤレス信号に基づいた所定の処理を行わない。ワイヤレス信号を破棄した後は、通信部５を介して伝送信号線Ｌ23，Ｌ34へ報知信号を送出し、その後、ワイヤレス信号の受信待ち状態になる（Ｓ６）。また、所定時間が経過して通信部５を介して報知信号を受けたか否かを確認したときに報知信号を受けていなければ（Ｓ３）、受信したワイヤレス信号に基づく所定の処理を行い（Ｓ７）、その後、通信部５を介して伝送信号線Ｌ23，Ｌ34へ報知信号を送出し（Ｓ８）、その後、ワイヤレス信号の受信待ち状態になる（Ｓ６）。なお、以上説明した制御部４の動作は多の照明器具１iでも同様である。
【００２７】
ところで、上記所定時間を隣接する照明器具１i間で異ならせておけば、例えば照明器具１3と照明器具１4とが同時にワイヤレス信号を受信した場合に両照明器具１3，１4を接続している伝送信号線Ｌ34に対して同時に報知信号が送出されるのを防ぐことができる。上述のような動作によって、照明器具１4は、ワイヤレス信号を受信していた場合でも、報知信号を受け取ったときには照明器具１3がリモコン装置９の相手先であったことを認識することができるのである。なお、この場合も照明器具１4は報知信号を送出する。要するに、ワイヤレス信号を受信してからワイヤレス信号に基づく所定の処理を行うまでの待ち時間を隣接する照明器具１i間で異ならせることによりワイヤレス信号を受け付ける優先順位をつけてある。
【００２８】
しかして、本参考例の照明装置では、受光部７によりワイヤレス信号を受信した照明器具１ｉの制御部４はワイヤレス信号を受信したことを報知する報知信号を通信部５を介して送出し、報知信号を受け取った照明器具１ｉの制御部４はワイヤレス信号を受信していた場合であっても当該ワイヤレス信号に基づく所定の処理の前に当該報知信号を受け取ったときは当該ワイヤレス信号に基づく処理を行わないので、各照明器具１ｉにアドレスやチャンネルなどを設定することなしに、リモコン装置９を用いて所望の１つの照明器具１ｉのみの点灯状態の制御や動作モードの設定などの所定の処理を行わせることができるから、リモコン装置９あるいはリモコン装置９の操作者がアドレスやチャンネルを記憶しておく必要もなく、操作者（ユーザ）の操作やリモコン装置９の構成が複雑になることもなくて使い勝手が良くなる。しかもアドレスの設定が不要なことにより信号伝送線Ｌ１２，Ｌ２３，Ｌ３４，Ｌ４５の繋ぎ方に特別の考慮を必要とせずに照明器具１ｉの設置場所の自由度が高く施工が容易になる。
【００２９】
なお、本参考例では、ワイヤレス信号を受信してから報知信号を出力するまでの時間が上述の規定時間となる。
【００３０】
（参考例２）
上述した参考例１では、上記所定時間が照明器具１ｉごとに固定されているので、ワイヤレス信号を受け付けやすい（ワイヤレス信号に基づく所定の処理を行う可能性の高い）照明器具１ｉとワイヤレス信号を受け付けにくい照明器具１ｉとが生じる可能性がある。
【００３１】
本参考例の照明装置は、この種の不具合を解決するものであり、図１に示した参考例１の構成において、制御部４が、ワイヤレス受信部たる受光部７を介してワイヤレス信号を受けた際に上記所定時間をランダムに決定する点に特徴がある。すなわち、本参考例では、上記規定時間が照明器具１ｉごとに固定されずにランダムに決定されることになる。なお、その他の動作は参考例１と同じなので説明を省略する。
【００３２】
しかして、本参考例の照明装置では、ワイヤレス信号による点灯状態の制御や動作モードの設定が行われやすい照明器具１ｉとワイヤレス信号による制御や設定が行われにくい照明器具１ｉとが生じるのを防ぐことができる。
【００３３】
（実施形態１）
実施形態の照明装置の基本構成は図１に示した参考例１と略同じであり、制御部４が人感センサ６の出力に基づいて上記所定時間を決定する点に特徴がある。
【００３４】
ここに、制御部４は、単位時間（例えば、数秒）内に受けとった人感センサ６による人体検出の回数（頻度）に応じて上記所定時間を設定することができるようにテーブルを備えている。このテーブルを用いることにより、図３に示すように、単位時間当たりの人体検知の回数が多いほど上記所定時間（信号確定までの待ち時間）が短くなるように設定される。なお、その他の動作は参考例１と同様なので説明を省略する。
【００３５】
しかして、本実施形態では、制御部４が、ワイヤレス信号の受信時近傍の単位時間当たりの人感センサ６による人体検出の回数が多いほど上記規定時間が短くなるので、リモコン装置９の操作者が所望の照明器具１iに近づいて操作するような場合に、ワイヤレス信号によって所望の照明器具１iの点灯状態の制御や動作モードの設定などを確実に行うことができる。
【００３６】
（実施形態２）
本実施形態の基本構成は実施形態１と同じであるが、上述の報知信号がワイヤレス信号の内容を含む点が異なり、制御部４の動作が異なるので、以下では一例として照明器具１３の制御部４の動作について図４を参照しながら説明する。なお、報知信号とワイヤレス信号とのフォーマットが同じである必要はない。
【００３７】
制御部４は、受光部７を介してワイヤレス信号（リモコン信号）を受信すると（Ｓ１１）と、単位時間（例えば、数秒）内に受けとった人感センサ６による人体検出の回数（頻度）に応じて上記所定時間を設定しタイマ８により所定時間のカウントを行わせ（Ｓ１２）、所定時間が経過すると通信部５を介して報知信号を受けたか否かを確認し（Ｓ１３）、報知信号を受けていた場合には受信したワイヤレス信号と報知信号の内容とを比較し（Ｓ１４）、両者が同じであるときには受信したワイヤレス信号を破棄する（Ｓ１５）。つまり、ワイヤレス信号に基づいた所定の処理を行わない。ワイヤレス信号を破棄した後は、他の照明器具１iより受信した報知信号を通信部５を介して伝送信号線Ｌ23，Ｌ34へ送出し（Ｓ１６）、その後、ワイヤレス信号の受信待ち状態になる（Ｓ１７）。また、受信したワイヤレス信号と報知信号の内容とが一致しないときには（Ｓ１４）、他の照明器具より受信した報知信号を通信部５を介して伝送信号線Ｌ23，Ｌ34へ送出し（Ｓ２０）、受信したワイヤレス信号に基づいた所定の処理を行い（Ｓ２１）、報知信号を通信部５を介して伝送信号線Ｌ23，Ｌ34へ送出し（Ｓ２２）、その後、ワイヤレス信号の受信待ち状態になる（Ｓ１７）。
【００３８】
また、所定時間が経過して通信部５を介して報知信号を受けたか否かを確認したときに報知信号を受けていなければ（Ｓ１３）、受信したワイヤレス信号に基づく所定の処理を行い（Ｓ１８）、その後、通信部５を介して伝送信号線Ｌ23，Ｌ34へ報知信号を送出し（Ｓ１９）、その後、ワイヤレス信号の受信待ち状態になる（Ｓ１７）。
【００３９】
しかして、本実施形態では、報知信号が受信したワイヤレス信号の内容を含み、ワイヤレス信号を受信し且つ他の照明器具１iより報知信号を受け取った照明器具１iの制御部４は、受信したワイヤレス信号と受け取った報知信号とを比較して同じ内容であった際に、受信したワイヤレス信号に基づく所定の処理を行わないので、ワイヤレス信号を受信し且つ他の照明器具１iより報知信号を受け取った照明器具１iの制御部４は受信したワイヤレス信号が他の照明器具１iに対して送信されたものか否かを認識してワイヤレス信号の取捨を選択することができる。
【００４０】
（実施形態３）
本実施形態の照明装置は、上記各参考例および上記各実施形態と同様のリモコン装置（図１参照）により赤外線を伝送媒体とするワイヤレス信号を受信する受光部７（図６参照）および受光部７の出力に基づいて所定の処理を行う制御部（図１参照）を有し天井面に隣接して設置された複数の照明器具１のうち図５および図６に示すように最も近づいて設置された２つの照明器具１において、受光部７の検出範囲が以下のように設定されている点に特徴がある。なお、照明器具１の数は２つであってもよい。また、本実施形態における照明器具１は上記各参考例および上記各実施形態のような通信部５（図１参照）を備えた照明器具１ｉである。
【００４１】
図５および図６に示すように、照明器具１の取り付け高さ（受光部７の床面からの高さ）をＨ、受光部７間の取り付け最小ピッチをＬ１、受光部７の検出範囲Ｅ１が円錐状であって最大の検出範囲Ｅ１が床面に対する垂線との角度をθ１とするとき、図５に示すように最大の検出範囲Ｅ１同士が床面で接する条件は、
θ１＝tan-1（Ｌ１／２Ｈ）
となる。
【００４２】
そこで、本実施形態では、
θ１≦tan-1（Ｌ１／２Ｈ）
の条件を満たすように受光部７の検出範囲Ｅ１を設定してある。ここに、受光部７の検出範囲Ｅ１は、受光部７に用いる受光素子の指向性や、受光素子の前方側に設置する赤外線の遮蔽板の設置などによって適宜調整すればよい。
【００４３】
しかして、本実施形態では、各照明器具１の受光部７が隣接する照明器具１間で重ならないので、所望の照明器具１の受光部７の検出範囲Ｅ１に入るように照明器具１の下方にいないと所望の照明器具１にワイヤレス信号が受信されにくいから、各照明器具１にアドレスやチャンネルなどを設定することなしに、リモコン装置を用いて所望の１つの照明器具１のみの点灯状態の制御や動作モードの設定などの所定の処理を行える可能性が高くなり、リモコン装置９あるいはリモコン装置９の操作者がアドレスやチャンネルを記憶しておく必要もなく、操作者（ユーザ）の操作やリモコン装置９の構成が複雑になることもなくて使い勝手が良くなる。しかもアドレスの設定が不要なことにより照明器具１間を伝送信号線で接続する必要がなく施工が容易になり、伝送信号線で繋ぐ場合であっても伝送信号線の繋ぎ方に特別の考慮を必要とせずに施工が容易になる。
【００４４】
なお、上述の説明では、照明器具１の取り付け高さ（受光部７の床面からの高さ）をＨとしてθ１を設定してあるが、リモコン装置の操作位置からの高さをＨとしてθ１を設定してもよい。
【００４５】
（実施形態４）
ところで、実施形態３では、θ１を上述のように設定することで隣接する照明器具１間で受光部７の検出範囲Ｅ１を重ならないようにできるが、受光部７ごとの検出範囲Ｅ１のずれやぼやけ（つまり、θ１のずれやぼやけ）、照明器具１や受光部７の傾き、照明器具１ごとの取り付け高さＨの違いなどにより、隣接する照明器具１間で受光部７の検出範囲Ｅ１が一部で重なってしまう可能性がある。
【００４６】
本実施形態では、この種の不具合を解決するために、図７に示すようにリモコン装置９におけるワイヤレス信号の送出範囲Ｅ２が円錐状であって送信方向の中心線との角度をθ２とするとき、θ２＜θ１の条件を満たすようにワイヤレス信号の送出範囲Ｅ２を設定してある。
【００４７】
しかして、本実施形態では、隣接する照明器具１間で受光部７の検出範囲Ｅ１が一部で重なっているような場合でも、リモコン装置９を用いて所望の１つの照明器具１のみにワイヤレス信号を送信できる可能性が高くなる。
【００４８】
（実施形態５）
ところで、実施形態３および実施形態４の照明装置では、リモコン装置９の操作者が照明器具１の下まで行かないと照明器具１の受光部７にワイヤレス信号が受信されないようにすることで、リモコン装置９により所望の１つの照明器具１のみへワイヤレス信号を受信させることができるが、照明器具１の下まで行かないと照明器具１の受光部７にワイヤレス信号が受信されないので、不便な場合があった。
【００４９】
本実施形態はこの種の不具合を解決するものであり、いま、図８に示すように、隣接した照明器具１の隣接方向に沿った方向から送出範囲Ｅ２が円錐状であって送信方向の中心線との角度をθ３とするワイヤレス信号を送出するリモコン装置により操作する場合、照明器具１の取り付け高さ（受光部７の床面からの高さ）をＨ、受光部７間の取り付け最小ピッチをＬ１、受光部７の検出範囲Ｅ１が円錐状であって最大の検出範囲Ｅ１が床面に対する垂線との角度をθ１とするとき、つまり、図８に示すように受光部７の最大の検出範囲Ｅ１が重なっているとき、
tanθ１＝Ｘ／Ｈ
Ｙ＝Ｈtanθ１−Ｌ１
tan｛２θ３＋（９０°−θ１）｝＝Ｈ／（Ｈtanθ１−Ｌ１）
２θ３＋（９０°−θ１）＝tan-1（Ｈ／（Ｈtanθ１−Ｌ１）
θ３＝｛tan-1（Ｈ／（Ｈtanθ１−Ｌ１））−（９０°−θ１）｝／２
となる。
【００５０】
したがって、リモコン装置の送出範囲Ｅ２を円錐状として送信方向の中心線となす角度をθ２とすると、
θ２＜｛tan-1（Ｈ／（Ｈtanθ１−Ｌ１））−（９０°−θ１）｝／２
とすることにより、ワイヤレス信号の送信方向に沿って隣接された２つの照明器具１に同時にワイヤレス信号が受信されてしまうのを防ぐことができる。
【００５１】
また、図９に示すように隣接した照明器具１に直交した方向から送出範囲Ｅ２が円錐状であって送信方向の中心線との角度をθ４とするワイヤレス信号を送出するリモコン装置により操作する場合、
sinθ４＝（Ｌ１／２）／Ｈtanθ１
θ４＝sin-1（（Ｌ１／２）／Ｈtanθ１）
となる。
したがって、θ２を
θ２＜sin-1（（Ｌ１／２）／Ｈtanθ１）
とすることにより、ワイヤレス信号の送信方向に直交する方向に沿って隣接された２つの照明器具１に同時にワイヤレス信号が受信されてしまうのを防ぐことができる。
【００５２】
しかして、本実施形態では、
θ２＜｛tan-1（Ｈ／（Ｈtanθ１−Ｌ１））−（９０°−θ１）｝／２
および
θ２＜sin-1（（Ｌ１／２）／Ｈtanθ１）
の２つの条件を満たすように、θ２を設定することにより、隣接する照明器具１間で互いの受光部７の検出範囲Ｅ１が重なっている場合でも、所望の照明器具１に送信方向に沿って隣接された照明器具１にワイヤレス信号が受信されるのを防ぐことができ、かつ、所望の照明器具１に送信方向と直交する方向に隣接された照明器具１にワイヤレス信号が受信されるのを防ぐことができ、各照明器具１にアドレスやチャンネルなどを設定することなしに、リモコン装置９を用いて所望の１つの照明器具１のみの点灯状態の制御や動作モードの設定などを行える可能性が高くなり、リモコン装置９あるいはリモコン装置９の操作者がアドレスやチャンネルを記憶しておく必要もなく、操作者（ユーザ）の操作やリモコン装置の構成が複雑になることもなくて使い勝手が良くなる。しかもアドレスの設定が不要なことにより照明器具１間を伝送信号線で接続する必要がなく施工が容易になり、仮に伝送信号線で繋ぐ場合であっても伝送信号線の繋ぎ方に特別の考慮を必要とせずに施工が容易になる。
【００５３】
なお、上述の説明では、照明器具１の取り付け高さ（受光部７の床面からの高さ）をＨとしてθ１を設定してあるが、リモコン装置の操作位置からの高さをＨとしてθ１を設定してもよい。
【００５４】
（実施形態６）
ところで、上記実施形態４、５のように照明器具１の受光部７の検出範囲Ｅ１およびリモコン装置９の送出範囲Ｅ２を制限（規定）することにより、隣接して設置された照明器具１のうち所望の照明器具１のみにワイヤレス信号を受信させることができる可能性が高くなるが、ワイヤレス信号が天井、床面などで反射して所望の照明器具１以外の照明器具１に到達してしまう恐れがある。
【００５５】
そこで、本実施形態では、この種の不具合を解決するために、ワイヤレス信号の最大到達距離をＲとするとき、
Ｒ≦Ｈ／cosθ１
の条件を満たすように最大到達距離Ｒを設定してある。
【００５６】
しかして、本実施形態では、リモコン装置９から送出されるワイヤレス信号が床面や天井などで反射した後に受光部７に受信されるのを防ぐことができる。
【００５７】
なお、ワイヤレス信号の最大到達距離Ｒは、リモコン装置９のワイヤレス信号送信部を例えば図１０に示すように電流制限用抵抗Ｒと赤外線を媒体とするワイヤレス信号を送信する赤外発光ダイオードＬＥＤとトランジスタよりなるスイッチング素子Ｑとの直列回路で構成し、赤外発光ダイオードＬＥＤの特性および電流制限用抵抗Ｒの抵抗値を適宜設定して赤外発光ダイオードＬＥＤに流れる電流の大きさを調整することにより、設定することができる。また、赤外発光ダイオードＬＥＤの発光面の前方に赤外透過性のフィルタを設け、このフィルタによって最大到達距離Ｒや送信範囲を規定するようにしてもよい。
【００５８】
ところで、上記実施形態３〜６の構成と実施形態１，２の構成とを組み合わせることによって、所望の１つの照明器具１のみの点灯状態の制御や動作モードの設定などをより確実に行うことができる。
【００５９】
【発明の効果】
請求項１の発明は、ワイヤレス信号を用いて照明器具に所定の処理を指示するリモコン装置と、ワイヤレス信号を受信するワイヤレス受信部およびワイヤレス受信部の出力に基づいて所定の処理を行う制御部を有する複数の照明器具とを備え、各照明器具には照明器具間の信号伝送を行う通信部が設けられ、ワイヤレス受信部によりワイヤレス信号を受信した照明器具の制御部が規定時間後にワイヤレス信号を受信したことを報知する報知信号を通信部を介して送出し、報知信号を受け取った照明器具の制御部ではワイヤレス信号を受信していた場合であっても当該ワイヤレス信号に基づいた所定の処理の前の上記規定時間内に報知信号を受け取ったときは当該ワイヤレス信号に基づいた所定の処理を行わないようにし、検知エリア内の人の存否を検出する人体検知センサを備え、制御部は、ワイヤレス信号の受信時近傍の単位時間当たりの人体検知センサによる人体検出の回数が多いほど上記規定時間を短くするものであり、報知信号を受け取った照明器具の制御部ではワイヤレス信号を受信していた場合であっても当該ワイヤレス信号に基づいた所定の処理の前の規定時間内に報知信号を受け取ったときは当該ワイヤレス信号に基づいた所定の処理を行わないので、各照明器具にアドレスやチャンネルなどを設定することなしに、リモコン装置を用いて所望の１つの照明器具のみの点灯状態の制御や動作モードの設定などの所定の処理を行わせることができるから、リモコン装置あるいはリモコン装置の操作者がアドレスやチャンネルを記憶しておく必要もなく、操作者の操作やリモコン装置の構成が複雑になることもなくて使い勝手が良くなり、しかもアドレスの設定が不要なことにより伝送線の繋ぎ方に特別の考慮を必要とせずに照明器具の設置場所の自由度が高く施工が容易になるという効果がある。
【００６２】
また、各照明器具は、検知エリア内の人の存否を検出する人体検知センサを備え、制御部は、ワイヤレス信号の受信時近傍の単位時間当たりの人体検知センサによる人体検出の回数が多いほど上記規定時間を短くするので、リモコン装置の操作者が所望の照明器具に近づいて操作するような場合に、ワイヤレス信号によって所望の照明器具の制御や動作モードの設定を確実に行うことができるという効果がある。
【００６４】
請求項２の発明は、請求項１の発明において、照明器具の取り付け高さをＨ、ワイヤレス受信部間の取り付け最小ピッチをＬ１、ワイヤレス受信部の検出範囲が円錐状であって最大の検出範囲が床面に対する垂線との角度をθ１とするとき、
θ１≦tan−１（Ｌ１／２Ｈ）
の条件を満たすものであり、各照明器具のワイヤレス受信部の検出範囲が隣接する照明器具間で重ならないので、各照明器具にアドレスやチャンネルなどを設定することなしに、リモコン装置を用いて所望の１つの照明器具のみの点灯状態の制御や動作モードの設定などを行える可能性が高くなり、リモコン装置あるいはリモコン装置の操作者がアドレスやチャンネルを記憶しておく必要もなく、操作者の操作やリモコン装置の構成が複雑になることもなくて使い勝手が良くなり、しかもアドレスの設定が不要なことにより伝送線の繋ぎ方に特別の考慮を必要とせずに施工が容易になるという効果がある。
【００６５】
請求項３の発明は、請求項２の発明において、ワイヤレス信号の送出範囲が円錐状であって送信方向の中心線との角度をθ２とするとき、θ２＜θ１の条件を満たすので、リモコン装置を用いて所望の１つの照明器具のみにワイヤレス信号を送信できる可能性が高くなるという効果がある。
【００６６】
請求項４の発明は、請求項３の発明において、ワイヤレス信号の最大到達距離をＲとするとき、
Ｒ≦Ｈ／cosθ１
の条件を満たすので、ワイヤレス信号が床面や天井などで反射した後にワイヤレス受信部に受信されるのを防ぐことができるという効果がある。
【００６７】
請求項５の発明は、請求項１の発明において、照明器具の取り付け高さをＨ、ワイヤレス受信部間の取り付け最小ピッチをＬ１、ワイヤレス受信部の検出範囲が円錐状であって最大の検出範囲が床面に対する垂線との角度をθ１、リモコン信号の送出範囲が円錐状であって送信方向の中心線との角度をθ２とするとき、
θ２＜｛tan−１（Ｈ／（Ｈtanθ１−Ｌ１））−（９０°−θ１）｝／２
および
θ２＜sin−１（（Ｌ１／２）／Ｈtanθ１）
の２つの条件を満たすものであり、隣接する照明器具間で互いのワイヤレス受信部の検出範囲が重なっている場合でも、所望の照明器具に送信方向に沿って隣接された照明器具にワイヤレス信号が受信されるのを防ぐことができ、かつ、所望の照明器具に送信方向と直交する方向に隣接された照明器具にワイヤレス信号が受信されるのを防ぐことができ、各照明器具にアドレスやチャンネルなどを設定することなしに、リモコン装置を用いて所望の１つの照明器具のみの点灯状態の制御や動作モードの設定などを行える可能性が高くなり、リモコン装置あるいはリモコン装置の操作者がアドレスやチャンネルを記憶しておく必要もなく、操作者の操作やリモコン装置の構成が複雑になることもなくて使い勝手が良くなり、しかもアドレスの設定が不要なことにより伝送線の繋ぎ方に特別の考慮を必要とせずに施工が容易になるという効果がある。
【００６８】
請求項６の発明は、請求項５の発明において、ワイヤレス信号の最大到達距離をＲとするとき、
Ｒ≦Ｈ／cosθ１
の条件を満たすので、ワイヤレス信号が床面や天井などで反射した後にワイヤレス受信部に受信されるのを防ぐことができるという効果がある。
【図面の簡単な説明】
【図１】  参考例１を示し、（ａ）は概略構成図、（ｂ）は照明器具のブロック図である。
【図２】  同上の動作説明図である。
【図３】  実施形態１の動作説明図である。
【図４】  実施形態２の動作説明図である。
【図５】  実施形態３の説明図である。
【図６】  同上の説明図である。
【図７】  実施形態４の説明図である。
【図８】  実施形態５の説明図である。
【図９】  同上の説明図である。
【図１０】  実施形態６の説明図である。
【図１１】  従来例を示す照明システムのシステム構成図である。
【図１２】  他の従来例を示す照明システムのシステム構成図である。
【符号の説明】
１２〜１５  照明器具
２  照明負荷
４  制御部
５  通信部
７  受光部
９  リモコン装置
Ｌ１２，Ｌ２３，Ｌ３４，Ｌ４５  伝送信号線
【図１】
0003733788.tif 000002
【図２】
0003733788.tif 000003
【図３】
0003733788.tif 000004
【図４】
0003733788.tif 000005
【図５】
0003733788.tif 000006
【図６】
0003733788.tif 000007
【図７】
0003733788.tif 000008
【図８】
0003733788.tif 000009
【図９】
0003733788.tif 000010
【図１０】
0003733788.tif 000011
【図１１】
0003733788.tif 000012
【図１２】
0003733788.tif 000013